(57)【要約】【課題】アダプタに対する光コネクタプラグの誤脱を未然に防止することで、光ファイバ通信の遮断による大きなデータ損失を回避可能にした光コネクタプラグの誤脱防止具を提供する。【解決手段】誤脱防止具２は、カップリング１３の外面に脱着自在に装着保持されるよう略コ字型等の枠部材によって形成されるとともに、後端に形成したストッパ部４を備えている。そして、このストッパ部４をハウジング１８後端あるいはスプリングプッシュ１１の前部に当接保持することによってカップリング１３を前進位置に保持し、カップリング１３の後退移動を阻止してアダプタ２１に対するプラグ本体１の引き抜きを防止するように構成されている。【選択図】図１
2019020461.tif 000002
【特許請求の範囲】
【請求項１】
フェルールと、前記フェルールを先端に収納したハウジングと、前記ハウジングに対してその前後方向にスライド可能に外嵌されるとともに、常時前方へ弾性付勢されたカップリングと、前記ハウジング後端に内挿されたスプリングプッシュとを備え、前記カップリングが前進することによってアダプタ内部の弾性係止部に対する係止が保持され、後退することによってアダプタ内部の弾性係止部に対する係止が解除され引き抜きが可能となる光コネクタプラグの誤脱防止具であって、この誤脱防止具は、前記カップリングの外面に脱着自在に装着保持されるよう枠部材によって形成されるとともに、後端にストッパ部を突設し、該ストッパ部を前記ハウジングの後端あるいは前記スプリングプッシュの前部に当接保持させることによって前記カップリングを前進位置に保持して当該カップリングの後退移動を阻止することを特徴とする光コネクタプラグの誤脱防止具。
【請求項２】
前記ハウジング後端あるいは前記スプリングプッシュの前部に、光コネクタへ装着中、前記誤脱防止具後端に突設されたストッパ部が係止される係止突部が、一方前記カップリング後端に、該カップリングが前記ハウジングの前進位置で保持されているとき、手指もしくは抜去工具を引っ掛けて前記カップリングを強制的に後退移動させる係止突部がそれぞれ設けられてなる請求項１記載の光コネクタプラグの誤脱防止具。
【請求項３】
前記誤脱防止具を上側壁面部、右側壁面部、左側壁面部それぞれによって全体が略コ字型の枠部材によって成形してなる請求項１記載の光コネクタプラグの誤脱防止具。
【請求項４】
前記誤脱防止具のストッパ部を、該誤脱防止具後端に斜め下向きに折曲形成された爪にて形成してなる請求項１記載の光コネクタプラグの誤脱防止具。
【請求項５】
前記ストッパ部を形成する爪中央に切欠部を設け、該切欠部に手指あるいは抜去治具を通して前記ハウジング後端あるいは前記スプリングプッシュ前部の係止突部を後退移動可能に形成してなる請求項４記載の光コネクタプラグの誤脱防止具。
【請求項６】
前記カップリング後端の係止突部は、前記ハウジング後端の係止突部よりも高く形成してなる請求項２記載の光コネクタプラグの誤脱防止具。
【発明の詳細な説明】
【技術分野】
【０００１】
本発明は、光コネクタアダプタ（以下にアダプタと略称する）に接続されたＭＰＯ型のプッシュプル方式による光コネクタプラグ（以下にプラグ本体と略称する）の誤脱を防止可能にした光コネクタプラグの誤脱防止具に関する。
【背景技術】
【０００２】
近年、各種のデータセンタ等において通信装置の高密度化が必須となってきており、これに伴いプラグ本体の１つに対して複数の光ファイバ心線を実装する形態が普及されている。
【０００３】
テープ状の光ファイバ心線（いわゆる光ファイバテープ心線）同士を切替可能に接続するプラグ本体としては、例えば、ＪＩＳ−Ｃ５９８１規格等に制定されるような光コネクタフェルール（いわゆるＭＴ型光コネクタ）が提供されている。
【０００４】
また、前記光コネクタフェルールの接続作業性の向上等に鑑みて、近年では、いわゆるＭＰＯコネクタ（ＪＩＳ−Ｃ５９８２規格等に制定される多心光コネクタフェルールをプラスチック製ハウジング内部に収納した構造の光コネクタ）が提供されている。
【０００５】
従来、ＭＰＯ型のプラグ本体１は、後述する図５乃至図７に示すように、スリーブ状のハウジング１８の先端（前端）に、光ファイバテープ心線ＦＴ先端に取り付けられたフェルール１２を収納している。そして、このハウジング１８内には、前記フェルール１２をプラグ本体１前側へ弾性付勢するスプリング１５を具備している。
【０００６】
さらに、前記ＭＰＯ型のプラグ本体１は、前記ハウジング１８に外嵌されているスプリング収納凹部１７付きのハウジング１８と、前記ハウジング１８に対してその軸線方向に確保した可動範囲でスライド移動可能に設けられ且つ前記ハウジング１８の凹部１７に収納されたスプリング１６にてプラグ本体１前側へ弾性付勢された筒状のカップリング１３と、前記ハウジング１８の前記フェルール１２が設けられている前端とは反対の後端部に取り付けられたスプリングプッシュ１１とを具備している。
【０００７】
なお、前記スプリングプッシュ１１の後端にはブーツ１９が取り付けられ、また前記ハウジング１８の先端（前端）の外面にはキー突起Ｋ２（図３、図４参照）が形成されている。
【０００８】
前記プラグ本体１のアダプタ２１に対する挿入は、当該プラグ本体１における前記カップリング１３から後側に位置する部分、例えばブーツ１９を作業者が手指でアダプタ２１に向かって押圧して行うものとなっている。
【０００９】
一方、プラグ本体１のアダプタ２１からの抜去は、前記スプリング１６の弾性付勢力に抗して前記ブーツ１９側に前記カップリング１３を引き込むことで行うものとなっている。
【先行技術文献】
【特許文献】
【００１０】
【特許文献１】特になし
【発明の概要】
【発明が解決しようとする課題】
【００１１】
しかしながら、従来のＭＰＯ型のプラグ本体においては、アダプタへの接続後にカップリングの後退移動を未然に防止するための機能を備えていないため、前記カップリングが誤って後退することによってアダプタの係止部に対する係止が解除されプラグ本体が引き抜かれてしまう虞があった。
【００１２】
そこで、本発明は、叙上のような従来存した諸事情に鑑み案出されたもので、アダプタに対するプラグ本体の誤脱を未然に防止することで、光ファイバ通信の遮断による大容量のデータ損失を回避可能にした光コネクタプラグの誤脱防止具を提供することを目的とする。
【課題を解決するための手段】
【００１３】
上述した課題を解決するために、本発明にあっては、フェルールと、前記フェルールを先端に収納したハウジングと、前記ハウジングに対してその前後方向にスライド可能に外嵌されるとともに、常時前方へ弾性付勢されたカップリングと、前記ハウジング後端に内挿されたスプリングプッシュとを備え、前記カップリングが前進することによってアダプタ内部の弾性係止部に対する係止が保持され、後退することによってアダプタ内部の弾性係止部に対する係止が解除され引き抜きが可能となる光コネクタプラグの誤脱防止具であって、この誤脱防止具は、前記カップリングの外面に脱着自在に装着保持されるよう枠部材によって形成されるとともに、後端にストッパ部を突設し、該ストッパ部を前記ハウジングの後端あるいは前記スプリングプッシュの前部に当接保持させることによって前記カップリングを前進位置に保持して当該カップリングの後退移動を阻止することを特徴とする。
【００１４】
前記ハウジング後端あるいは前記スプリングプッシュの前部に、光コネクタへ装着中、前記誤脱防止具後端に突設されたストッパ部が係止される係止突部が、一方前記カップリング後端に、該カップリングが前記ハウジングの前進位置で保持されているとき、手指もしくは抜去工具を引っ掛けて前記カップリングを強制的に後退移動させる係止突部がそれぞれ設けられてなる。
【００１５】
前記誤脱防止具を上側壁面部、右側壁面部、左側壁面部それぞれによって全体が略コ字型の枠部材によって成形してなる。
【００１６】
前記誤脱防止具のストッパ部を、該誤脱防止具後端に斜め下向きに折曲形成された爪にて形成してなる。
【００１７】
前記ストッパ部を形成する爪中央に切欠部を設け、該切欠部に手指あるいは抜去治具を通して前記ハウジング後端あるいは前記スプリングプッシュ前部の係止突部を後退移動可能に形成してなる。
【００１８】
前記カップリング後端の係止突部は、前記ハウジング後端の係止突部よりも高く形成してなる。
【発明の効果】
【００１９】
本発明によれば、アダプタに対するプラグ本体の誤脱を未然に防止することで、光ファイバ通信の遮断による大容量のデータ損失を回避可能にすることができる。
【００２０】
すなわち、本発明では、フェルールと、前記フェルールを先端に収納したハウジングと、前記ハウジングに対してその前後方向にスライド可能に外嵌されるとともに、常時前方へ弾性付勢されたカップリングと、前記ハウジング後端に内挿されたスプリングプッシュとを備え、前記カップリングが前進することによってアダプタ内部の弾性係止部に対する係止が保持され、後退することによってアダプタ内部の弾性係止部に対する係止が解除され引き抜きが可能となる光コネクタプラグの誤脱防止具であって、この誤脱防止具は、前記カップリングの外面に脱着自在に装着保持されるよう枠部材によって形成されるとともに、後端にストッパ部を突設し、該ストッパ部を前記ハウジングの後端あるいは前記スプリングプッシュの前部に当接保持させることによって前記カップリングを前進位置に保持して当該カップリングの後退移動を阻止するものとしたので、アダプタへの接続後において、当該アダプタに対するプラグ本体の誤った引き抜きを未然に防止することができ、諸々のプラグセキュリティシステムを構築可能にすることができる。
【００２１】
前記ハウジング後端あるいは前記スプリングプッシュの前部に、光コネクタへ装着中、前記誤脱防止具後端に突設されたストッパ部が係止される係止突部が、一方前記カップリング後端に、該カップリングが前記ハウジングの前進位置で保持されているとき、手指もしくは抜去工具を引っ掛けて前記カップリングを強制的に後退移動させる係止突部がそれぞれ設けられてなるものであるから、前記カップリングを強制的に後退移動させることで前記誤脱防止具のストッパ部先端が前記ハウジング後端あるいはスプリングプッシュ前部の係止突部を乗り上げて当該ストッパ部による係止が解除され、前記両係止突部が突き当った状態となし、これにより、前記誤脱防止具をプラグ本体のカップリングに取付けたままの状態でも、アダプタに対するプラグ本体の引き抜きがスムーズに行える。
【００２２】
前記誤脱防止具を上側壁面部、右側壁面部、左側壁面部それぞれによって全体が略コ字型の枠部材によって成形してなるものであるから、前記カップリング外面にワンタッチ操作で容易に誤脱防止具を装着できる。
【００２３】
前記誤脱防止具のストッパ部を、該誤脱防止具後端に斜め下向きに折曲形成された爪にて形成してなるものであるから、前記光コネクタのハウジング後端あるいはスプリングプッシュ前部に設けられた係止突部にスムーズ且つ確実に当接保持され、前記カップリングに対する誤脱防止具がしっかりと装着される。
【００２４】
前記ストッパ部を形成する爪中央に切欠部を設け、該切欠部に手指あるいは抜去治具を通して前記ハウジング後端あるいは前記スプリングプッシュ前部の係止突部を後退移動可能に形成してなるものであるから、前記誤脱防止具をコネクタ本体に装着したままの状態で前記カップリングのスライド動作が容易且つ確実に行なえる。
【００２５】
前記カップリング後端の係止突部は、前記ハウジング後端の係止突部よりも高く形成してなるので、前記誤脱防止具のストッパ部先端が前記ハウジング後端あるいはスプリングプッシュ前部の係止突部を乗り上げ、前記両係止突部が突き当った際には、前記ストッパ部はカップリング後端あるいはスプリングプッシュ前部の係止突部によって係止保持されることから、前記アダプタに対するプラグ本体の引き抜きに際し、カップリングからの誤脱防止具の脱落による紛失を未然に防止することができる。しかも、前記アダプタに対するプラグ本体の引き抜き後には、カップリングが弾性的に前進復帰するので、当該ストッパ部は自動的にハウジング後端あるいはスプリングプッシュ前部に当接保持させた元の状態にすることができる。
【図面の簡単な説明】
【００２６】
【図１】本発明を実施するための一形態における誤脱防止具の一例を示す斜視図である。
【図２】図２中、（ａ）は正面図、（ｂ）は背面図、（ｃ）は平面図、（ｄ）は底面図、（ｅ）は左側面図、（ｆ）は右側面図である。
【図３】誤脱防止具のプラグ本体への装着前状態を示す斜視図である。
【図４】誤脱防止具を装着したプラグ本体をアダプタに接続する前状態の斜視図である。
【図５】誤脱防止具を装着したプラグ本体をアダプタに接続した状態の斜視図である。
【図６】図５中、（ａ）は誤脱防止具を装着したプラグ本体をアダプタに接続する際におけるプラグ本体の断面図、（ｂ）は誤脱防止具の切欠部を介してカップリングを後退させた状態の断面図（ｃ）は誤脱防止具のストッパ部が係止する係止突部をスプリングプッシュに設けた他例を示す断面図である。
【図７】図６中、（ａ）は誤脱防止具を装着したプラグ本体をアダプタに接続した状態の断面図、（ｂ）は誤脱防止具の切欠部を介してカップリングを後退させた状態の断面図、（ｃ）は誤脱防止具を取外した状態の断面図である。
【図８】図７中、（ａ）は誤脱防止具を装着したプラグ本体をアダプタに接続した状態の断面図、（ｂ）は誤脱防止具を取外してからカップリングを後退させてプラグ本体をアダプタから抜き出した状態の断面図である。
【図９】抜去治具の使用例を示すもので、（ａ）は抜去治具の使用前の状態の斜視図、（ｂ）は誤脱防止具の切欠部を介してカップリングの係止突部に抜去治具のフック爪を引っ掛けた状態の斜視図である。
【発明を実施するための形態】
【００２７】
以下、図面を参照して本発明に係る光コネクタプラグ用防護キャップの実施の一形態を詳細に説明する。
【００２８】
＜光コネクタプラグの構成＞
本発明に係るプラグ本体１は、ＭＰＯ型のプッシュプル方式によって構成されている。すなわち、プラグ本体１は、図６、図７、図８に示すように、光ファイバテープ心線ＦＴの先端に取り付けられたフェルール１２と、このフェルール１２を先端に収納したスリーブ状のハウジング１８と、前記ハウジング１８に対してその軸線（前後）方向に確保した可動範囲でスライド移動可能に設けられた筒状のカップリング１３と、前記ハウジング１８内部に収納され前記フェルール１２を光コネクタ前側へ弾性付勢するスプリング１５と、前記カップリング１３と前記ハウジング１８との間に設けられた凹部１７に収納され当該カップリング１３を前記ハウジング１８前部側へ弾性付勢するスプリング１６と、前記ハウジング１８の前記フェルール１２が設けられている前端とは反対の後端部内側に内挿されたスプリングプッシュ１１と、前記スプリングプッシュ１１に外挿されたブーツ１９とを具備している。
【００２９】
さらに、図６、図７及び図８に示すように、アダプタ２１へ接続されるプラグ本体１は、その外面に前後摺動自在に取付けられたカップリング１３が前方へスライド（前進）することによってアダプタ２１の左右内壁に開口側に向けて対向突設した弾性係止部２２によって係止されているハウジング１８を抜去不能に保持し、カップリング１３を後方へスライド（後退）させることでアダプタ２１の弾性係止部２２に対するハウジング１８の係止が外れ、プラグ本体１をアダプタ２１から抜去するものである。
【００３０】
すなわち、前記プラグ本体１のハウジング１８先端側をアダプタ２１に挿入すると、当該アダプタ２１の内部に設けられた弾性係止部２２によってカップリング１３先端が押されていったん後退する。前記弾性係止部２２は、その先端内面に形成された係止突起２２ａが、前記ハウジング１８先端に引っ掛かり部３１ａを介して突設された係止凸部３１を乗り越えてから弾性の復元力が働き、前記引っ掛かり部３１ａに食い込んで係止される。
【００３１】
このとき、前記カップリング１３は、その前部内下方に設けられたスプリングストッパ１３ｂに係止されつつ前記ハウジング１８の凹部１７に収納されたスプリング１６によって前記ハウジング１８前側へ常時付勢されているため当該カップリング１３は前方へスライド復帰するとともに、前記アダプタ２１の弾性係止部２２の外面は前記カップリング１３の先端内面によって遮蔽保持されるものとなり、前記プラグ本体１のハウジング１８の抜去を不能にする。尚、前記カップリング１３の少なくとも上下いずれか一方の内面にはスライド方向に沿ってキー溝Ｋ１が形成されており、このキー溝Ｋ１に、ハウジング１８のキー突起Ｋ２が係合している（図３参照）。また、図３中の符号Ｇは、フェルール１２に挿入したガイドピンであり、不図示の相手側フェルールのガイドピン孔に嵌合して当該フェルール１２の位置決め（光ファイバテープ心線ＦＴ同士の光軸の心合わせ）が行われる。
【００３２】
前記プラグ本体１を脱去する際には、前記ハウジング１８先端の引っ掛かり部３１ａに前記アダプタ２１の弾性係止部２２の係止突起２２ａが係合されている状態において、前記カップリング１３を後方へスライドさせる。このとき、前記係止突起２２ａが係合されている状態の引っ掛かり部３１ａが外部に露出される。そして、前記プラグ本体１を引抜くことで、前記ハウジング１８の引っ掛かり部３１ａに係合されていた前記弾性係止部２２の係止突起２２ａは、前記ハウジング１８先端の係止凸部３１を乗り越える。その結果、前記プラグ本体１のハウジング１８とカップリング１３との隙間から、前記係止突起２２ａが上方へ解放されると同時に、前記カップリング１３はスプリング１６によって前方へスライド復帰する。
【００３３】
＜誤脱防止具の構成＞
本実施形態に係る誤脱防止具２は、光コネクタ用のアダプタ２１に装着された例えばＪＩＳ−Ｃ５９８２規格によるＭＰＯ型光コネクタ用のプラグ本体１を抜く必要がないのにも拘らず誤って抜いてしまうのを防止するものであり、前記プラグ本体１のカップリング１３の外面に脱着自在に装着保持されるよう合成樹脂製の略コ字型の枠部材によって形成されている。
【００３４】
すなわち、前記誤脱防止具２は、図１、図２中（ａ）乃至（ｆ）、図３乃至図５に示すように、上側壁面部２ａ、左側壁面部２ｂ、右側壁面部２ｃそれぞれによって全体が略コ字型の枠部材によって形成されており、左右側壁面部２ｂ、２ｃそれぞれの下方先端側は互いに内側に向けて僅かに湾曲している。因みに、前記左右側壁面部２ｂ、２ｃと上側壁面部２ａの接合部および前記左右側壁面部２ｂ、２ｃ下端の湾曲部の４箇所はプラグ本体１に対する保持力を高めるために、ともに若干の厚みをもって形成されている。
【００３５】
また、前記誤脱防止具２は、上側壁面部２ａと左側壁面部２ｂとの角部、上側壁面部２ａと右側壁面部２ｃとの角部それぞれにスリット３が形成され、上側壁面部２ａの後端にはストッパ部４が突設してある。
【００３６】
前記ストッパ部４は、前記誤脱防止具２の後端へ斜め下向きに折曲した状態で突設された爪４ａにて形成されている。さらに、この爪４ａの中央には略Ｕ字状の切欠部５を設けている。こうして前記爪４ａは、前記誤脱防止具２の後端に、両端のスリット３と中央の切欠部５間に所定の間隔を置いて左右に一対形成される。
【００３７】
さらに、前記誤脱防止具２は、弾性を有する合成樹脂製の略コ字型の枠部材にて形成されているところから、図３に示すように、前記プラグ本体１のカップリング１３の外面に上方から装着保持される。すなわち、左右側壁面部２ｂ、２ｃそれぞれがいったん外方へ撓曲されつつカップリング１３に装着され、当該カップリング１３の外面を覆った状態では、左右側壁面部２ｂ、２ｃそれぞれの下方先端側は互いに内側に復帰してカップリング１３の下面をしっかり保持する。
【００３８】
一方、前記爪４ａは、前記ハウジング１８の上面後端に形成された係止突部１８ａに当接保持され、前記カップリング１３を前進位置に保持し、これによって前記アダプタ２１の弾性係止部２２に対してプラグ本体１が係止され引き抜きが防止される（図５及び図６（ａ）参照）。
【００３９】
さらに詳細に説明すると、このとき、前記ハウジング１８の後端上方に設けられた係止突部１８ａに対向して、前記カップリング１３の上面後端には係止突部１３ａが起立形成されており、この係止突部１３ａを上側から前記誤脱防止具２の爪４ａによって覆った状態であっても、中央の切欠部５を通してカップリング１３の係止突部１３ａに手指もしくは後述する抜去治具Ｓ（図９参照）を引っ掛けて、当該カップリング１３を強制的に後退移動させられるものとなっている。これにより、前記アダプタ２１に対するプラグ本体１の引き抜き後には、手指もしくは後述する抜去治具Ｓを係止突部１３ａから解放することで、前記カップリング１３がそのスプリングストッパ１３ｂに係止されるスプリング１６によって弾性的に前進復帰し、前記爪４ａは自動的に前記ハウジング１８の前端の係止突部１８ａに当接保持させられる（図６（ａ）参照）。
【００４０】
而して、前記カップリング１３後端の係止突部１３ａは、前記ハウジング１８後端の係止突部１８ａよりも高く配設してあるため、前記ハウジング１８の係止突部１８ａ内側に前記カップリング１３の係止突部１３ａが突き当った際には、前記爪４ａはカップリング１３後端の係止突部１３ａに乗り上げて弾性保持される（図６（ｂ）参照）。
【００４１】
一方、前記誤脱防止具２をプラグ本体１から取り外すと、前進位置にあるカップリング１３の保持が解除され、当該カップリング１３が後退可能となる。こうして、前記カップリング１３を後退させることで、前記アダプタ２１の弾性係止部２２に対するプラグ本体１の係止が解除され引き抜きが可能となる（図８（ｂ）参照）。
【００４２】
前記抜去治具Ｓは、図９中、（ａ）及び（ｂ）に示すように、長尺な帯板片Ｓ２をＵ字状に折り曲げて弾性を付与して形成され、各先端内側中央には、前記カップリング１３の係止突部１３ａに引っ掛けるためのフックアームＳ１を対向突設することで構成されている。
【００４３】
次に、以上のように構成された形態についての使用・動作の一例について説明する。
【００４４】
先ず、図７中、（ａ）及び（ｂ）に示すように、前記プラグ本体１の前記ハウジング１８先端側をアダプタ２１に強制的に挿入すると、アダプタ２１の弾性係止部２２によってカップリング１３先端が押されて前記誤脱防止具２のストッパ部４を構成する爪４ａを上方に押し退けつつカップリング１３をいったん後退する。
【００４５】
こうして図８（ａ）に示すように、前記アダプタ２１の弾性係止部２２は、その先端内面に形成された係止突起２２ａが、前記ハウジング１８先端に引っ掛かり部３１ａを介して突設された係止凸部３１を乗り越えてから、前記引っ掛かり部３１ａにがっちりと食い込んで係止される。
【００４６】
而して、前記カップリング１３は、スプリングストッパ１３ｂに係止されるとともに、凹部１７に収納されたスプリング１６によってハウジング１８前側へ常時付勢されているために前方へスライド復帰し、前記誤脱防止具２の爪４ａが前記ハウジング１８の係止突部１８ａに当接保持され、当該カップリング１３を前進位置に保持された状態にする。このとき、前記アダプタ２１の弾性係止部２２の外面はカップリング１３の先部によって遮蔽保持されると同時に前記アダプタ２１の弾性係止部２２に対してプラグ本体１が係止され引き抜きが防止される（図５、図６（ａ）及び図８（ａ）参照）。
【００４７】
前記プラグ本体１を脱去する際には、図６（ａ）、図７（ｂ）に示すように、前記誤脱防止具２の爪４ａが前記ハウジング１８の係止突部１８ａに当接保持され、カップリング１３を前進位置に保持されている状態から、図６（ｂ）、図７（ｂ）に示すように、前記誤脱防止具２の切欠部５を通してカップリング１３の係止突部１３ａに手指、もしくは前記抜去治具ＳのフックアームＳ１（図９参照）を引っ掛けて、当該カップリング１３を強制的に後退移動させる。
【００４８】
前記カップリング１３を強制的に後退移動（前記カップリング１３を後方へスライド）させると、前記アダプタ２１の弾性係止部２２の係止突起２２ａが係合されている状態の引っ掛かり部３１ａが露出され、この状態で前記プラグ本体１を強制的に引き抜くことで、前記引っ掛かり部３１ａに係合されていた弾性係止部２２の係止突起２２ａは係止凸部３１を乗り越えて解放される。その後、前記カップリング１３はスプリング１６によって前方へスライド復帰する。
【００４９】
また、前記アダプタ２１に対するプラグ本体１の引き抜き後には、手指もしくは抜去治具Ｓを前記カップリング１３の係止突部１３ａから解放することで、当該カップリング１３がスプリング１６によって弾性的に前進復帰し、前記誤脱防止具２の爪４ａは自動的に前記ハウジング１８前端の係止突部１８ａに当接保持させられる。このようにすれば、プラグ本体１の脱去は誤脱防止具２を付けたままの状態でも可能となる。
【００５０】
さらに、図８（ｂ）に示すように、前記誤脱防止具２をプラグ本体１から取外すことによって、前進位置にあるカップリング１３の保持が解除され、当該カップリング１３を後退させた状態でプラグ本体１を引抜くこともできる。この場合もハウジング１８の引っ掛かり部３１ａに係合されていた係止突起２２ａは係止凸部３１を乗り越えて解放されると同時に、前記カップリング１３はスプリング１６によって前方へスライド復帰し、その結果、プラグ本体１の脱去が可能となる。
【００５１】
ところで、以上の実施形態では、前記係止突部１８ａは全て前記ハウジング１８後端に一体に形成されているが、図６（ｃ）に示すようにスプリングプッシュ１１の前部（図示例では中央やや前方）に一体に形成しても良い。
【００５２】
また、以上の実施形態では、前記誤脱防止具２のストッパ部４を構成する爪４ａは当該防止具との後端に斜め下向きに折曲形成されているが、装着時に前記カップリング１３の後退を阻止できるストッパ機能を有するものであればこのような構成に限定されるものではない。
【符号の説明】
【００５３】
ＦＴ    光ファイバテープ心線
Ｋ１    キー溝
Ｋ２    キー突起
Ｓ      抜去治具
Ｓ１    フックアーム
Ｓ２    帯板片
Ｇ      ガイドピン
１      プラグ本体
２      誤脱防止具
２ａ    上側壁面部
２ｂ    左側壁面部
２ｃ    右側壁面部
３      スリット
４      ストッパ部
４ａ    爪
５      切欠部
１１    スプリングプッシュ
１２    フェルール
１３    カップリング
１３ａ  係止突部
１３ｂ  ストッパ
１５    スプリング
１６    スプリング
１７    凹部
１８    ハウジング
１８ａ  係止突部
１９    ブーツ
２１    アダプタ
２２    弾性係止部
２２ａ  係止突起
３１    係止凸部
３１ａ  引っ掛かり部
【図１】
2019020461.tif 000003
【図２】
2019020461.tif 000004
【図３】
2019020461.tif 000005
【図４】
2019020461.tif 000006
【図５】
2019020461.tif 000007
【図６】
2019020461.tif 000008
【図７】
2019020461.tif 000009
【図８】
2019020461.tif 000010
【図９】
2019020461.tif 000011